(57)【特許請求の範囲】
【請求項１】
壁面に沿って上下複数段に壁面緑化ユニット（１）が配置されてなる壁面緑化設備であって、
前記壁面緑化ユニット（１）には、
植栽基盤と植物とが収容されるプランター（２）と、
該植栽基盤と植物とに利用されない余剰水を前記プランター（２）の内部で誘導すべく、該プランター（２）内で前記植栽基盤と植物との収容部分となる収容部（４）と区画された内部余剰水誘導部（５）と、
上段側の壁面緑化ユニット（１）の余剰水が下段側の壁面緑化ユニット（１）のプランター（２）へ誘導されるように、前記内部余剰水誘導部（５）で誘導される余剰水を下段側の壁面緑化ユニット（１）のプランター（２）へ誘導させるための外部余剰水誘導部（９）とが具備され、
前記内部余剰水誘導部（５）は、前記収容部（４）側から該内部余剰水誘導部（５）側へ余剰水が排出される余剰水排出孔（３０）が形成されているとともに上下に開口部（２８）、（２９）が形成された内部余剰水誘導管（５ａ）の内部に形成され、
前記外部余剰水誘導部（９）は、上下に開口部（３４）、（３５）が形成された外部余剰水誘導管（９ａ）の内部に形成され、
前記内部余剰水誘導部（５）で誘導される余剰水が前記内部余剰水誘導管（５ａ）の下部開口部（２９）から前記外部余剰水誘導管（９ａ）の上部開口部（３４）を経て前記外部余剰水誘導部（９）へ誘導され、
該外部余剰水誘導部（９）に誘導される余剰水が前記外部余剰水誘導管（９ａ）の下部開口部（３５）から下段側の壁面緑化ユニット（１）の内部余剰水誘導管（５ａ）の上部開口部（２８）を経て該下段側の壁面緑化ユニット（１）の内部余剰水誘導部（５）へ誘導されるように、
前記内部余剰水誘導管（５ａ）と前記外部余剰水誘導管（９ａ）とが配置されていることを特徴とする壁面緑化設備。
【発明の詳細な説明】
【技術分野】
【０００１】
本発明は、建築，構築物の壁面に沿って設置することによって、その壁面を緑化する壁面緑化ユニットを用いて壁面の緑化を行う壁面緑化設備に関する。
【背景技術】
【０００２】
近年、都市緑化等の要請が高まり、それに応じて都市部における種々の場所、たとえば、公園、歩道等の場所で人為的に樹木を植設する等によって緑化が行われている。特に建築物、構築物等が立ち並ぶような場所では、自然木等が少ないので、そのような建築物、構築物等の壁面の緑化を行うことが盛んに試みられている。このような建築物、構築物等の壁面の緑化は、都市部における景観の改善を図るだけでなく、いわゆるヒートアイランド現象を緩和する点でも好ましいものであり、今後、益々普及が望まれるものである。
【０００３】
このような壁面緑化の技術として、土壌等の植栽基盤と植物とが収容可能なプランターを壁面の上下左右に複数段に設置し、灌水パイプを配置してプランターに収容された植栽基盤や植物に灌水する技術があり、そのような技術として、たとえば特許文献１のような特許出願がなされている。この特許文献１に記載された技術においては、プランターに灌水された水は、植栽基盤や植物に吸収されて利用される他、利用されない余剰水は、プランターに穿設された水抜き孔から排出されることとなる。このようにして排出された余剰水は、下段側に配置されたプランターに落下し、その下段側のプランター内に収容された植栽基盤や植物に利用され得る。
【０００４】
しかし、このような技術においては、水抜き孔から排出される余剰水はそのまま垂れ流し状態で下方へ落下するため、風等で飛散するおそれがあり、地上部の歩行者にかかるおそれがあるという問題が生じていた。
【先行技術文献】
【特許文献】
【０００５】
【特許文献１】特開平７−２８９０８７号公報
【発明の概要】
【発明が解決しようとする課題】
【０００６】
本発明は、このような問題点を解決するためになされたもので、プランターからの余剰水が従来のように垂れ流し状態になるのを極力防止することができ、それによって余剰水が地上部の歩行者にかかるようなことを極力防止することができる壁面緑化ユニットを用いた壁面緑化設備を提供することを課題とする。
【課題を解決するための手段】
【０００７】
本発明は、このような課題を解決するために、壁面に沿って上下複数段に壁面緑化ユニットが配置されてなる壁面緑化設備であって、前記壁面緑化ユニットには、植栽基盤と植物とが収容されるプランターと、該植栽基盤と植物とに利用されない余剰水を前記プランターの内部で誘導すべく、該プランター内で前記植栽基盤と植物との収容部分となる収容部と区画された内部余剰水誘導部と、上段側の壁面緑化ユニットの余剰水が下段側の壁面緑化ユニットのプランターへ誘導されるように、前記内部余剰水誘導部で誘導される余剰水を下段側の壁面緑化ユニットのプランターへ誘導させるための外部余剰水誘導部とが具備され、前記内部余剰水誘導部は、前記収容部側から該内部余剰水誘導部側へ余剰水が排出される余剰水排出孔が形成されているとともに上下に開口部が形成された内部余剰水誘導管の内部に形成され、前記外部余剰水誘導部は、上下に開口部が形成された外部余剰水誘導管の内部に形成され、前記内部余剰水誘導部で誘導される余剰水が前記内部余剰水誘導管の下部開口部から前記外部余剰水誘導管の上部開口部を経て前記外部余剰水誘導部へ誘導され、該外部余剰水誘導部に誘導される余剰水が前記外部余剰水誘導管の下部開口部から下段側の壁面緑化ユニットの内部余剰水誘導管の上部開口部を経て該下段側の壁面緑化ユニットの内部余剰水誘導部へ誘導されるように、前記内部余剰水誘導管と前記外部余剰水誘導管とが配置されていることを特徴とする壁面緑化設備を提供する。
【発明の効果】
【０００９】
本発明は上述のような構成からなるため、プランターに灌水される水は、そのプランターの収容部内に収容される植物や植栽基盤に好適に供給される一方で、該収容部内の植栽基盤と植物に利用されない余剰水は、区画部となる内部余剰水誘導管の余剰水排出孔を介して収容部側から内部余剰水誘導部側へ排出されることとなる。そして、内部余剰水排出部に排出された余剰水は、さらに外部余剰水誘導部によって下段側の壁面緑化ユニットのプランター内に誘導されることとなる。
【００１０】
このようにして、灌水された水は、上下複数段に配置された壁面緑化ユニットのプランターの収容部内に収容される植栽基盤と植物とに好適に供給される一方で、それらの植栽基盤や植物に利用されない余剰水は、上記のような余剰水排出孔を介しての収容部側から内部余剰水誘導部側への排出と、内部余剰水誘導部及び外部余剰水誘導部での誘導を経て、上段側の壁面緑化ユニットから下段側の壁面緑化ユニットに誘導されることとなる。
従って、余剰水は上記のように内部余剰水誘導部及び外部余剰水誘導部を介して上段側の壁面緑化ユニットから下段側の壁面緑化ユニットに誘導されるので、プランターからの余剰水が従来のように垂れ流し状態で落下するのが極力防止されることとなり、それによって余剰水が地上部の歩行者にかかるようなことを極力防止することができるという効果がある。
【００１１】
特に、収容部から排出される余剰水は、直接外部余剰水誘導部から下段側のプランターへ誘導されるのではなく、プランターの内部において区画部となる内部余剰水誘導管の余剰水排出孔を介しての収容部側から内部余剰水誘導部側へ一旦排出され、その内部余剰水誘導部を経て外部余剰水誘導部から下段側のプランターへ誘導されるので、排出される余剰水の勢いが緩やかなものとなってプランターから余剰水が垂れ流し状態で落下する場合に比べて歩行者に余剰水がかかるようなことを防止する効果がより向上することとなる。
【００１２】
しかも、植物や植栽基盤に利用されない余剰水は、区画部となる内部余剰水誘導管の余剰水排出孔を介して収容部側から内部余剰水誘導部側へ排出されるので、収容部内に水が貯留することもなく、収容部内の植栽基盤が過湿の状態になるのを好適に防止することができる。
【図面の簡単な説明】
【００１３】
【図１】一実施形態の壁面緑化ユニットのプランターの概略平面図。
【図２】同プランターの概略側面図。
【図３】同プランターの概略正面図。
【図４】プランター内に被包材を収納した状態を示す概略平面図。
【図５】図４のＡ−Ａ線断面図。
【図６】被包材をプランター内で固定する固定金具の斜視図。
【図７】プランターを取り付けるＬアングルの正面図。
【図８】壁面緑化ユニットを上下複数段に配置した状態を示す概略側面断面図。
【図９】壁面緑化ユニットを上下複数段に配置した状態を示す概略斜視図。
【図１０】壁面緑化ユニットを上下複数段に配置した状態を示す概略正面図。
【図１１】壁面緑化ユニットをフレームに取り付けた状態を示す概略正面図。
【図１２】壁面緑化ユニットをフレームに取り付けた状態を示す概略側面図。
【図１３】他実施形態の壁面緑化ユニットの概略平面図。
【図１４】同壁面緑化ユニットの概略側面図。
【図１５】図１３のＢ−Ｂ線断面図。
【図１６】外部余剰水誘導管の概略正面図。
【図１７】プランターのフランジをアングルに取り付け、プランターに外部余剰              水誘導管を取り付けた状態を示す概略断面図。
【図１８】壁面緑化ユニットを上下２段に配置した状態を示す概略正面図。
【図１９】壁面緑化ユニットをフレーム等に取り付けた状態を示す概略平面図。
【図２０】壁面緑化ユニットを上下２段に配置した状態を示す概略側面図。
【図２１】壁面緑化ユニットを上下複数段に配置した状態を示す概略正面図。
【図２２】プランター内に植栽基盤を収容した状態を示す概略断面図。
【図２３】他の実施形態の外部余剰水誘導管の概略正面図。
【図２４】他の実施形態の外部余剰水誘導管をプランターに取り付けて壁面緑化    ユニッ              トを上下２段に配置した状態を示す概略正面図。
【図２５】他の実施形態の外部余剰水誘導管をプランターに取り付けて壁面緑化    ユニッ              トを上下複数段に配置した状態を示す概略正面図。
【図２６】壁面緑化ユニットを上下複数段に配置した状態の、さらに他の実施形    態              の概略正面図。
【発明を実施するための形態】
【００１４】
以下、本発明の実施形態について説明する。本発明の壁面緑化ユニットは、上述のように、植栽基盤と植物とが収容されるプランターを具備し、壁面に沿って上下複数段に配置される壁面緑化ユニットにおいて、植栽基盤と植物とを収容するための収容部と、該植栽基盤や植物に利用されない余剰水をプランターの内部で誘導する内部余剰水誘導部とが前記プランター内に形成され、前記収容部側から内部余剰水誘導部側へ余剰水が排出されるように前記収容部と前記内部余剰水誘導部とが余剰水排出孔を有する区画部によってプランター内で区画されており、該内部余剰水誘導部で誘導される余剰水を下段側の壁面緑化ユニットのプランターへ誘導するための外部余剰水誘導部がさらに具備されているものである。
【００１５】
植栽基盤としては、主として土壌が用いられ、その土壌としては、天然土壌の他、人口土壌を用いることもできる。植栽する植物の種類は特に限定されるものではない。
【００１６】
プランターの形状は特に限定されるものではなく、植栽基盤と植物が収容可能で、該植栽基盤と植物が収容されている収容部と、該植栽基盤や植物に利用されない余剰水をプランターの内部で誘導する内部余剰水誘導部とが、余剰水排出孔を有する区画部によってプランター内で区画されうるような形状であればよい。一般には箱状の形態に形成される。
【００１７】
また、プランターの材質も特に限定されるものではなく、合成樹脂、木材、金属、その他、種々の素材のものを使用することができる。たとえば合成樹脂としては、ポリプロピレン、ポリエチレン、ポリスチレン等の汎用性の合成樹脂等を使用することができ、またこれら以外の合成樹脂を用いることも可能である。
【００１８】
前記収容部と前記内部余剰水誘導部とを前記プランター内で区画する具体的な手段としては、たとえば植栽基盤と植物とを複数の孔を有する被包材で被包してプランター内に収容させて被包材によって収容部を画定させるとともに前記被包材とプランターの内壁面との間に設けた間隙部を内部余剰水誘導部として区画する手段が挙げられる。また、植栽基盤と植物とを直接プランター内に収容させる場合であれば、壁面に貫通孔を有する中空体を併せてプランター内に収容させ、しかも、該中空体を少なくとも前記貫通孔が設けられている箇所を前記植栽基盤に埋設させるようにしてプランター内に収容させ、該中空体の内部空間を内部余剰水誘導部として残りのプランター内の空間を前記収容部とさせることができる。すなわち、前者の場合は、被包材が本発明における区画部として機能し、その孔が余剰水排水孔として機能することとなり、後者の場合は、中空体が本発明における区画部として機能し、その貫通孔が余剰水排水孔として機能することとなる。
【００１９】
前者の被包材を区画部として用い、その被包材によって収容部が形成（画定）される場合には、その被包材は、たとえば不織布のようなメッシュ状の通水性のある素材で構成される。そして、植物の根の部分が活着した植栽基盤を被包してプランター内に収容された被包材に灌水がなされると、灌水された水は、植栽基盤や植物の根の部分に吸収されて利用される。その一方で、植栽基盤や植物に利用されない余剰水は、メッシュ状の被包材の微細な通水孔を介して、被包材で区画された収容部以外の部分に排出されることとなる。この場合には、被包材自体の微細な通水孔が余剰水排出孔とされる。
【００２０】
一方、後者の中空体のようなものを区画部として用い、その中空体以外のプランター内の空間を収容部として形成する場合、そのような中空体として、たとえばパイプ状のものを用いることができる。その場合には、内部余剰水誘導部として、たとえばパイプ状の内部余剰水誘導管を、その通水方向を上下方向に延在させた状態でプランター内に設けることができる。
【００２１】
このような内部余剰水誘導管を用いる場合には、その内部余剰水誘導管自体が余剰水排出孔を有する区画部とされ、その内部余剰水誘導管の内部が内部余剰水誘導部とされる。このような内部余剰水誘導管は、たとえば上下両端部が開口した形態のものであり、その内部余剰水誘導管の上部開口部を、プランター内に収容される土壌等の植栽基盤の上面よりも高く、且つ、プランターの上部開口よりも低く位置させるように形成される。
【００２２】
このように植栽基盤の上面よりも高くなるように形成されることで、灌水される水がプランター内の植栽基盤に供給される一方で、プランターから溢流しようとする水は、内部余剰水誘導管の上部開口部から該内部余剰水誘導管排水管内に流入し、下部開口部側へ誘導されることとなるのである。
【００２３】
内部余剰水誘導管としては、主として円筒状のパイプのようなものが用いられるが、これに限らず、たとえば四角筒状や三角筒状のものを用いることも可能であり、その形状は問わない。また、内部余剰水誘導管の材質も問うものではないが、主として合成樹脂製や金属製のものが用いられる。
【００２４】
内部余剰水誘導管は、その下部開口部が、後述するプランターの底面部の排水口に連通するように、プランターの底部から立設するように設けられることが望ましい。これによって、プランターから溢流しようとする余剰水は、内部余剰水誘導管の上部開口部から流入し、該内部余剰水誘導管を通過し、そのままプランターの底部から排出されるとともに、後述する外部余剰水誘導管を通過して下段側の壁面緑化ユニットのプランターに誘導されることとなる。また、溢流しようとする余剰水のみならず、灌水された水が直接内部余剰水誘導管の上部開口部から流入する場合もある。この場合も、直接内部余剰水誘導管に流入した水は、余剰水として内部余剰水誘導管を通過し、プランターの底部から排出されることとなる。
【００２５】
内部余剰水誘導管には、プランター内に灌水された水であって、該プランター内の植物や植栽基盤に利用されない余剰水を排出させるための余剰水排出孔が形成される。この余剰水排出孔は、管壁を貫通するように形成される。また、この余剰水排出孔は、極力、内部余剰水誘導管の下部開口部に近い側に形成されることが望ましい。植物や植栽基盤に利用されない余剰水は、プランターの底部の近傍に貯水されるため、多量の水が底部に貯水されないように、余剰水排出孔を内部余剰水誘導管の下部開口部に近い側に形成して、該余剰水排出孔を介して余剰水を速やかに内部余剰水誘導管に流入させる必要があるからである。また、内部余剰水誘導管の中央若しくはそれより上部側に形成されると、上部開口部から内部余剰水誘導管内に流入した余剰水が、下部開口部に至るまでの間に、上記余剰水排出孔から逆にプランター内に収容されている植栽基盤側に流出するおそれがあり、植栽基盤に供給される水が過剰となるおそれがあるからである。
【００２６】
また、この余剰水排出孔は、スリット状に形成されていることが望ましい。上部開口部から内部余剰水誘導管内に流入した余剰水が、プランター内に収容されている植栽基盤側、すなわち収容部側に流出するのを極力防止するためである。
【００２７】
さらに、外部余剰水誘導部としては、たとえば鎖状のものやパイプ状のものを用いることができる。いずれも、プランターの底面部に取り付けることができる。鎖状の外部余剰水誘導鎖の場合には、その外部余剰水誘導鎖を伝って余剰水が下段側の壁面緑化ユニットのプランターへ誘導され、パイプ状の外部余剰水誘導管の場合には、その外部余剰水誘導管内を通過して余剰水が下段側の壁面緑化ユニットのプランターへ誘導される。
【００２８】
上記のような外部余剰水誘導鎖は、たとえばプランターの底面部に排水口を設け、該排水口から下側に延びる短い筒状の取付部に取り付けられる。具体的には、そのような短い筒状の取付部の内面側に、外部余剰水誘導鎖の上端部を取り付けることによって、外部余剰水誘導鎖をプランターに取り付けることができる。その場合、外部余剰水誘導鎖の下端部が、下段側の壁面緑化ユニットのプランター内に臨出するように、該外部余剰水誘導鎖の上端部が筒状の取付部に取り付けられることとなる。
【００２９】
また、パイプ状の外部余剰水誘導管の場合にも、外部余剰水誘導鎖の場合と同様にプランターの底面部に排水口が設けられ、該排水口から下側に筒状に延びる取付部が設けられ、その取付部に外部余剰水誘導管が取り付けられる。そして、外部余剰水誘導管を連結する連結手段として、短い筒状の取付部の外周面に螺子が形成されるとともに、その螺子に螺合可能な螺子が、外部余剰水誘導管の開口端部の内周面に形成されることとなる。そして、両螺子を螺合させることによって、外部余剰水誘導管が取付部を介してプランターの底部の裏面側に取り付けられることとなる。また、前記内部余剰水誘導管をプランターの底部を貫通させた状態で設け、この内部余剰水誘導管がプランターから下向きに突出する部分を外部余剰水誘導管の取付部とすることもできる。
【００３０】
さらに、本発明の壁面緑化設備は、上記のような構成からなる壁面緑化用ユニットが、上段側の壁面緑化ユニットの内部余剰水誘導部、及び外部余剰水誘導部を介して上段側の壁面緑化ユニットから下段側の壁面緑化ユニットのプランターへ余剰水が誘導されるように、上下複数段に配置されているものである。
【００３１】
このように壁面緑化用ユニットを上下複数段に配置する場合、たとえばＬアングルのような取付具をプランターの背面側に設け、同様の取付具を壁面に取り付け、両取付具を相互に取り付けることによりプランターを壁面に取り付けて壁面緑化用ユニットを上下複数段に配置することができる。また、この壁面緑化用ユニットは、上下方向のみならず、左右方向にも配置することができ、その場合には上下左右に複数段の壁面緑化用ユニットが配置されることになる。
【００３２】
さらに、格子状のフレームを壁面に取り付け、その格子状のフレームにプランターを取り付けることも可能である。この場合には、プランターと壁面間に格子状のフレームが介在した状態となり、壁面緑化用ユニットのプランター内の植物がたとえば蔓性植物である場合に、その蔓性植物を格子状のフレームに登攀させることができる。
【００３３】
さらに、別の態様として、プランターの底部の両側方にフランジを設け、そのフランジをフレームに取り付けることで壁面緑化用ユニットを上下複数段に配置することができる。
【００３４】
このような壁面緑化設備において、上記のような被包材で収容部を画定、形成し、その被包材を区画部とするとともに、該被包材の通水孔を余剰水排出孔とし、被包材とプランターの内壁面との間に設けた間隙部を内部余剰水誘導部として区画する場合には、該内部余剰水誘導部と連通するようにプランターの底面部に排水口が形成されるとともに、該排水口にたとえば鎖状の外部余剰水誘導鎖の上端部が取り付けられ、該鎖状の外部余剰水誘導鎖の下端部が、下段側の壁面緑化ユニットのプランター内に臨出するように、壁面緑化ユニットが上下複数段に配置される。
【００３５】
また、上記のような壁面緑化設備において、植栽基盤と植物とを直接プランター内に収容し、上記のような内部余剰水誘導管を併せてプランター内に収容させ、内部余剰水誘導管を区画部とするとともに、該内部余剰水誘導管の内部を内部余剰水誘導部とし、外部余剰水誘導部として上記のような外部余剰水誘導管を用いた場合には、上段側の壁面緑化ユニットの外部余剰水誘導管から、下段側の壁面緑化ユニットのプランター内に余剰水が誘導されるように、壁面緑化ユニットが上下複数段に配置される。このような外部余剰水誘導管を取り付ける場合、用いる外部余剰水誘導管には２種の態様のものがある。
【００３６】
そのうちの一の態様は、円筒パイプ状のものが上下に真っ直ぐ形成された外部余剰水誘導管である。この外部余剰水誘導管は、上部開口部がプランターの底部の取付部に取り付けられ、下部開口部が、下段側の壁面緑化ユニットのプランターの内部余剰水誘導管の上部開口部に近接するように配置される。このように配置することで、上段側の壁面緑化ユニットのプランターの内部余剰水誘導管を通過する余剰水が、該プランターの底部の取付部を介して外部余剰水誘導管を通過し、そのさらに外部余剰水誘導管の下部開口部から、下段側の壁面緑化ユニットのプランターの内部余剰水誘導管の上部開口部に供給されることになる。
【００３７】
このようにして、上下段の壁面緑化ユニットのプランターの内部余剰水誘導管及び外部余剰水誘導管を順次通過して最下段の壁面緑化ユニットまで余剰水が供給されるので、灌水された水のうち、必要な水は収容部内の植物や植栽基盤に供給されるが、植物や植栽基盤に利用されない余剰水は、内部余剰水誘導管と外部余剰水誘導管のみを通過して収容部側に供給されることがない。従って、各段の壁面緑化ユニットの高低差、或いは壁面自体の高低差が大きいような場合でも、各段の壁面緑化ユニットのプランター内の植栽基盤の湿潤状態に極端な差異が生じることもない。
【００３８】
外部余剰水誘導管の他の態様は、外部余剰水誘導管の下部開口部が、たとえば、下段の壁面緑化ユニットの収容部に余剰水を供給し得るように構成されているものであり、屈曲部分を有する外部余剰水誘導管である。この外部余剰水誘導管は、たとえば上下に真っ直ぐ形成された２本のパイプの中間部分に、連結具を介して短い１本のパイプを横向きに連結することによって構成される。また、この外部余剰水誘導管は、上部開口部がプランターの底部の取付部に取り付けられ、下部開口部は、下段側の壁面緑化ユニットの、植栽基盤が収容された収容部内に位置するように配置される。
【００３９】
この外部余剰水誘導管の他の態様では、該外部余剰水誘導管の下部開口部が、下段側の壁面緑化ユニットのプランターの内部余剰水誘導管の上部開口部から離間して配置されることになるので、上段側の壁面緑化ユニットのプランターの内部余剰水誘導管を通過する余剰水を、該プランターの底部の取付部を介して外部余剰水誘導管を通過させることができるが、その外部余剰水誘導管を通過する余剰水は、上記一の態様の外部余剰水誘導管のように、さらに下段側の壁面緑化ユニットのプランターの内部余剰水誘導管に誘導されることはなく、その外部余剰水誘導管の下部開口部から、プランターの収容部に供給されることとなる。
【００４０】
従って、この他の態様の場合には、上記一の態様の場合のように、上下段の壁面緑化ユニットのプランターの内部余剰水誘導管及び外部余剰水誘導管を順次通過して最下段の壁面緑化ユニットまで連続して余剰水が供給されることはなく、上段側の壁面緑化ユニットの内部余剰水誘導管から下段側の壁面緑化ユニットの外部余剰水誘導管を通過した余剰水は、一旦、その下段側の壁面緑化ユニットのプランターの収容部内の植栽基盤に供給され、その後に、内部余剰水誘導管及び外部余剰水誘導管を介して、さらに下段側の壁面緑化ユニットに供給されることとなる。
【００４１】
このため、この他の態様では、各段の壁面緑化ユニットの高低差、或いは壁面自体の高低差が大きいような場合においてまで、各段の壁面緑化ユニットのプランター内の植栽基盤の湿潤状態に差異を生じさせにくいという効果が上記一の態様の場合と同様に生じるわけではない。
【００４２】
しかしながら、この他の態様では、上記のような屈曲部分を有する外部余剰水誘導管によって、余剰水が各段のプランターの収容部内の植栽基盤にすべて供給されることになる。従って、他の態様の外部余剰水誘導管を用いた場合、各段のすべての壁面緑化ユニットに灌水パイプを設置する必要がなく、余剰水を有効に利用することができるという、上記一の態様の外部余剰水誘導管の場合には生じないような別の効果が生じることなる。従って、壁面の上下の高低差が小さい場合には、各段の壁面緑化ユニットにおいて乾燥や加湿の程度の差異がさほど生じることがないので、この他の態様の外部余剰水誘導管を有効に利用することができる。
【００４３】
（実施形態１）
以下、本発明の壁面緑化ユニットのより具体的な実施形態について、図面に従って説明する。本実施形態の壁面緑化ユニット１は、プランター２と、被包材３と、外部余剰水誘導鎖９とを具備して構成されている。
【００４４】
プランター２は、水の貯留と誘導を行うためのもので、図１乃至図３に示すように、上面に開口部６を有し、四方の側面部２ａ、２ｂ、２ｃ、２ｄと、底面部２ｅとで構成されて、全体が略箱形に形成されている。底面部２ｅは、図２に示すように、湾曲して形成されている。プランター２の材質は特に限定されるものではないが、金属製のものを好適に使用することができる。
【００４５】
被包材３は、図５に示すように、土壌７等の植栽基盤と植物８とを被包して収容部４を形成するためのもので、図４に示すように、収容部４を形成する被包材３が収納されている以外のプランター２内の部分が、内部余剰水誘導部５として形成されている。この被包材３は、通水性の不織布によって構成され、その不織布に形成されている多数の微細な通水孔が、余剰水排出孔として形成される。また、この被包材３は、それ自体が、収容部４と内部余剰水誘導部５とをプランター２内で区画する区画部とされる。
【００４６】
そして、被包材３によって土壌７と植物８とが被包される場合、植物８の葉や茎の部分は裸出させ、土壌７及び土壌７に活着されている根の部分のみが被包材３に被包されることとなる。植物８としては、本実施形態では低木の植物が土壌７に植設されている。また、本実施形態では、２個の被包材３、３がプランター２内に収納されている。２個の被包材３、３間には、仕切板１６が介装されている。
【００４７】
被包材３、３をプランター２内に収納した状態で、図４に示すように被包材固定金具１３で被包材が固定されている。より具体的には、被包材固定金具１３の長辺部１３ａをプランター２の挿入孔４７に挿入し、該被包材固定金具１３の短辺部１３ｂを前記挿入孔４７の周辺部に係止させた状態で、該被包材固定金具１３の長辺部１３ａの孔１５に抜け止めビス１４が挿入されて固定されている。
【００４８】
またプランター２の底面部２ｅの両側には、排水口１０を形成するための排水口形成体１１が設けられている。排水口形成体１１は、短い筒状に形成されたものであり、図１乃至図３に示すように、プランター２の両側面部２ｃ、２ｄに近い底面部２ｅの部分に下向きに突設されている。
【００４９】
外部余剰水誘導鎖９は、図８乃至図１０に示すように、全体が鎖状に形成されている。
【００５０】
さらに、プランター２の後側の側面部２ｂの両側には、図１及び図２に示すように、Ｌアングル１２が取り付けられている。このＬアングル１２は、プランター２の後側の側面部２ｂに取り付けられるプランター用取付部１２ａと、後述する別のＬアングルに取り付けられるＬアングル用取付部１２ｂとで構成されている。さらに、プランター２の前側及び後側の側面部２ａ、２ｂには、図示しないが、後述する被包材固定金具１３を挿入するための挿入孔が穿設されている。
【００５１】
図６において、１３は、プランター２内に収納された状態の被包材３を固定するための被包材固定金具を示す。この被包材固定金具１３は、長辺部１３ａ及び短辺部１３ｂを有する側面略Ｌ字状に形成されている。長辺部１３ａは、上記プランター２の挿入孔（図示せず）に挿入可能に形成され、短辺部１３ｂは、該挿入孔の周辺部に係止可能に形成されている。また長辺部１３ａには、抜け止めビス１４を挿入して固定するための孔１５が穿設されている。図４において、１６は、プランター２内に収納される２個の被包材３、３間に介装される仕切板を示す。
【００５２】
そして、上記のような構成からなる壁面緑化ユニット１を、図８乃至図１０に示すように、上下複数段に配置することによって、壁面緑化設備が構成されることとなる。すなわち、本実施形態の壁面緑化設備においては、上記壁面緑化ユニット１が上下複数段（図１０においては４段）に配置され、それぞれの壁面緑化ユニット１のプランター２の裏面側に突設された短い筒状の排水口形成体１１の内面側に外部余剰水誘導鎖９が取り付けられている。
【００５３】
このようにプランター２の排水口形成体１１に外部余剰水誘導鎖９が取り付けられた状態において、外部余剰水誘導鎖９の下端部が、下段側の壁面緑化ユニットのプランター２の内部余剰水誘導部５内に臨出するように外部余剰水誘導鎖９が排水口形成体１１に取り付けられる。
【００５４】
排水口形成体１１がプランター２の両側に設けられているので、外部余剰水誘導鎖９も、図１０に示すように、プランター２の両側に設けられることとなる。
【００５５】
さらに、上記のようにプランター２を上下複数段に設置するに際しては、図７に示すようなＬアングル１７が、図８に示すように予め壁面１８に取り付けられ、そのＬアングル１７に、プランター２の背面側のＬアングル１２が取り付けられ、それによってプランター２が壁面１８に取り付けられる。より具体的には、両Ｌアングル１２、１７の孔１９、２０を相互に合致させた状態でボルト２１が挿入され、さらに別のボルト２２によってＬアングル１７が壁面に固定されている。
【００５６】
各段の壁面緑化ユニット１においては、図９に示すように、収容部４に灌水するための灌水パイプ２３が配置されている。
【００５７】
そして、上記のように構成された壁面緑化設備で灌水を行う場合には、図８乃至図１０に示すように、壁面緑化ユニット１を上下複数段に設置した状態で、収容部４を形成しているプランター２内の被包材３に対して、灌水パイプ２３から灌水する。
【００５８】
灌水パイプ２３から灌水される水は植物８に供給されるとともに、通水性素材である被包材３を通過して植物８の根を活着している土壌７に浸透する。植物８に供給され、或いは被包材３を通過して土壌７に浸透した水は、植物の生育に利用されるが、利用されない余剰水は、被包材３を通過して該被包材３の外側、すなわち、プランター２の内部余剰水誘導部５に排出される。
【００５９】
このような灌水パイプ２３は、各段の壁面緑化ユニット１にそれぞれ設けられており、従って、灌水パイプ２３からの植物８や被包材３に被包された土壌７への灌水、植物８や土壌７に利用されない余剰水の、被包材３を通過させての内部余剰水誘導部５側への排出は、各段の壁面緑化ユニット１においてそれぞれなされることとなる。
【００６０】
各段の壁面緑化ユニット１において内部余剰水誘導部５内に排出された余剰水は、内部余剰水誘導部５内で排水口１０に向かって誘導され、該排水口１０から排出されるとともに、排水口形成体１１に取り付けられた外部余剰水誘導鎖９を伝って、下段側の壁面緑化ユニット１のプランター２に誘導される。この場合、外部余剰水誘導鎖９の下端部は、下段側のプランター２の内部余剰水誘導部５に臨出しているため、外部余剰水誘導鎖９を伝って誘導される余剰水は、下段側のプランター２の内部余剰水誘導部５に確実に誘導されることとなる。
【００６１】
内部余剰水誘導部５に誘導された余剰水は、同様に排水口１０に向かって誘導され、該排水口１０から排出されるとともに、排水口形成体１１に取り付けられた外部余剰水誘導鎖９を伝って、さらに下段側の壁面緑化ユニット１のプランター２に誘導される。
【００６２】
このようにして、外部余剰水誘導鎖９を伝って誘導される余剰水は、収容部４を形成する被包材３側へは誘導されず、上段側のプランター２の内部余剰水誘導部５、及び外部余剰水誘導鎖９から、下段側のプランター２の内部余剰水誘導部５、及び外部余剰水誘導鎖９へ誘導され、これを順次繰り返して最下段のプランター２まで誘導されることとなる。
【００６３】
このように、収容部４を形成する被包材３から内部余剰水誘導部５へ排出される余剰水は、内部余剰水誘導部５で一旦貯留されるような状態で、該内部余剰水誘導部５内で排水口１０に向かって誘導されるので、排水口１０から余剰水が勢いよく排出されることがない。しかも、排水口１０まで誘導された余剰水は、排水口形成体１１に取り付けられた外部余剰水誘導鎖９を伝って下段側のプランター２の内部余剰水誘導部５へ誘導されるので、余剰水は、上段側の壁面緑化ユニット１のプランター２から下段側の壁面緑化ユニット１のプランター２へ確実に誘導されることとなる。従って、従来のように、余剰水がプランターの排水口からいわゆる垂れ流し状態で排出されることがないので、風等で飛散し、地上部の歩行者にかかるようなことを極力防止することができるのである。
【００６４】
（実施形態２）
本実施形態では、図１１及び図１２に示すように、格子状のフレーム２４が、プランター２の背面側に位置するように壁面１８に取り付けられている。この格子状のフレーム２４は、同図に示すように、その上端部が図７に示すようなＬアングル１７に取り付けられ、下端部が、プランター２の背面側に取り付けられたＬアングル１２に取り付けられている。この格子状のフレーム２４は、上下に隣接するプランター２に跨がるように取り付けられている。
【００６５】
このような格子状のフレーム２４をプランター２の背面側に位置するように壁面１８に取り付けることによって、図１２の下段側に示すように、蔓性植物のような登攀性の植物８を、壁面１８に沿って好適に登攀させることができる。
【００６６】
その他の構成は実施形態１と共通するため、その詳細な説明は省略する。
【００６７】
（実施形態３）
本実施形態では、土壌７や植物８はプランター２内に直接収容され、プランター２と内部余剰水誘導管５ａとの間が土壌７や植物８の収容部４となる。この点で、被包材３によって土壌７や植物８が被包され、その被包材３が収容部４となる上記実施形態１と相違している。
【００６８】
本実施形態の壁面緑化ユニット１は、プランター２と、１対のフランジ２５、２５と、内部余剰水誘導部５を構成する内部余剰水誘導管５ａ、外部余剰水誘導管９ａとを具備して構成されている。
【００６９】
プランター２は、図１３乃至図１５に示すように、上面に開口部６を有し、四方の側面部２ａ、２ｂ、２ｃ、２ｄと、底面部２ｅとで構成されて、全体が箱形に形成されている。この点は、上記実施形態１と共通している。
【００７０】
フランジ２５、２５は、壁面緑化ユニット１をフレーム等に設置する場合の取付部分となるものので、１対のフランジ２５、２５が、それぞれ前記プランター２の底部の両側に延設されて形成されている。このフランジ２５は、図１３に示すように、平面略五角形状に形成されており、ボルト等を挿通するための孔２６、２６が、それぞれのフランジ２５、２５に２箇所ずつ、計４箇所に穿設されている。また、このフランジ２５は、図１５に示すように、複数の足片２７を有するような断面櫛形に形成されている。
【００７１】
内部余剰水誘導管５ａは、土壌７や植物８に利用されない余剰水をプランター２内で誘導する内部余剰水誘導部５を構成するもので、図１３及び図１５に示すように、上部及び下部にそれぞれ開口部２８、２９を有して全体が細い円筒状に形成されている。
【００７２】
そして、この内部余剰水誘導管５ａは、前記プランター２の底面部２ｅにおける後方の側面部２ｂに近い側の中央に立設されている。また、前記内部余剰水誘導管５ａの下部側の開口部２９の近傍には、図１５に示すように、プランター２の収容部４内で発生する余剰水を、内部余剰水誘導部５側へ排出するための余剰水排出孔３０が穿設されている。この余剰水排出孔３０は、図１３に示すように、円筒状の内部余剰水誘導管５ａにおいて放射状となるような位置に穿設されている。
【００７３】
さらに、内部余剰水誘導管５ａの下部側の開口部２９から裏面側に突出するように、後述する外部余剰水誘導管９ａを取り付けるための取付部３１が設けられている。この取付部３１は、図１５に示すように、短い筒状に形成され、その外周面には、外部余剰水誘導管９ａとの螺合部分となるねじ３２が形成されている。この取付部３１の上部側の開口部は前記内部余剰水誘導管５ａの下部側の開口部２９と兼用されており、前記取付部３１の下部側の開口部３３は、さらにその下方に形成されている。
【００７４】
次に、前記プランター２の裏面側の取付部３１に取り付けられる外部余剰水誘導管９ａの構成について説明する。すなわち、外部余剰水誘導管９ａは、図１６に示すように、上部及び下部にそれぞれ開口部３４、３５を有して全体が細い円筒状に形成されている。すなわち、本実施形態の外部余剰水誘導管９ａは、円筒パイプ状のものが上下に真っ直ぐ形成されたものである。外部余剰水誘導管９ａの上部の内周面３６には、前記取付部３１の外周面に形成されたねじ３２に螺合可能なねじ３７が形成されており、また外部余剰水誘導管９ａの上部の外周面３８は、該外部余剰水誘導管９ａの胴部３９よりも幅広に形成されている。
【００７５】
そして、上記のような構成からなる壁面緑化ユニット１を、図１８乃至図２１に示すように、上下複数段に配置することによって、壁面緑化設備が構成されることとなる。すなわち、本実施形態の壁面緑化設備においては、上記壁面緑化ユニット１が上下複数段（図２１においては４段）に配置される。
【００７６】
また、プランター２の裏面側に突設された取付部３１に外部余剰水誘導管９ａが取り付けられている。より具体的には、図１７に示すように、外部余剰水誘導管９ａの上部の内周面に形成されたねじ３７を、取付部３１の外周面に形成されたねじ３２に螺合させることによって、外部余剰水誘導管９ａが取付部３１に取り付けられることになる。
【００７７】
このようにして、外部余剰水誘導管９ａが取付部３１に取り付けられた状態において、図１８に示すように、上段側の壁面緑化ユニット１の取付部３１に取り付けられた外部余剰水誘導管９ａの下部開口部３５の直下に、下段側の壁面緑化ユニット１の内部余剰水誘導管５ａの上部側の開口部２８が位置するように、上記外部余剰水誘導管９ａが取付部３１に取り付けられることとなる。
【００７８】
さらに、図１７に示すように、断面略Ｌ字状のアングル４０が前記フランジ２５に当接され、フランジ２５の孔２６内にボルト４１が挿通されているとともにアングル４０に穿設された孔４２内にボルト４１が挿通されている。このようにして、プランター２がフレーム４３に掛止されるとともに、フランジ２５がボルト４１によってアングル４０に固定されている。
【００７９】
図１８乃至図２０においては、上下２段の壁面緑化ユニット１が設置された状態がより詳細に示されている。すなわち、プランター２の両側には、架台４４、４４が配置されており、そのプランター２や架台４４、４４を全体的に包囲するように、フレーム４３が所定位置に配置されている。さらに、両外側には、枠体４５が配置されている。
【００８０】
図１８乃至図２０では、上下２段の壁面緑化ユニット１が設置された状態が示されていたが、実際には、図２１に示すように、複数段の壁面緑化ユニット１が設置されて壁面緑化設備が構成されることとなる。尚、図２１では、複数段の壁面緑化ユニット１が上下１列に設置されている場合を示しているが、複数列に複数段の壁面緑化ユニット１を設置することも可能である。実際に壁面緑化を行う場合、複数列に複数段の壁面緑化ユニットを設置する場合が多い。このように、複数列に複数段の壁面緑化ユニットを設置することで、上下左右に複数の壁面緑化ユニットが配置されることとなる。
【００８１】
さらに、上記のように壁面緑化ユニットが配置された後に、図２２に示すように、プランター２の収容部４内には土壌７が収容され、また図２２では図示しないが、生育させる植物もプランター２の収容部４内に収容される。
【００８２】
このように土壌や植物が収容された状態で、灌水パイプ（図示せず）から収容部４内の土壌や植物に灌水する。灌水された水は土壌や植物に利用され、利用されない余剰水は、収容部４から余剰水排出孔３０を介して内部余剰水誘導管５ａで構成される内部余剰水誘導部５側へ排出されることとなる。また、収容部４から溢流する水は、内部余剰水誘導管５ａの上部の開口部２８から該内部余剰水誘導管５ａ内に流入して内部余剰水誘導部５側へ排出されることとなる。
【００８３】
そして、内部余剰水誘導部５側へ排出された余剰水は、内部余剰水誘導管５ａを通過して、底部の取付部３１に取り付けられた外部余剰水誘導管９ａに供給されることとなる。外部余剰水誘導管９ａに供給された水は、下段側の壁面緑化ユニット１のプランター２内に収容された土壌７に供給され、その一方で、その下段側の壁面緑化ユニットのプランター２で生じる余剰水は、そのプランター２の外部に飛散することなく、該プランター２内に設けられた内部余剰水誘導管５ａを通過して、底部の取付部３１に取り付けられた外部余剰水誘導管９ａに供給され、さらにその外部余剰水誘導管９ａを介して下段側の壁面緑化ユニット１のプランター２内に収容された土壌７に供給されることとなる。
【００８４】
上述のように、本実施形態においては、円筒パイプ状のものが上下に真っ直ぐ形成された外部余剰水誘導管９ａが、プランター２の底部の取付部３１に取り付けられ、その外部余剰水誘導管９ａの下部開口部３５が、下段側の壁面緑化ユニット１のプランター２の内部余剰水誘導管５ａの上部開口部２８に近接するように配置されているので、上段側の壁面緑化ユニット１のプランター２の内部余剰水誘導管５ａを通過する余剰水は、該プランター２の底部の取付部１２を介して外部余剰水誘導管９ａを通過し、さらにその外部余剰水誘導管９ａの下部開口部３５から、下段側の壁面緑化ユニット１のプランター２の内部余剰水誘導管５ａの上部開口部２８に供給されることになる。
【００８５】
このようにして、上下複数段に配置された壁面緑化ユニット１のプランター２内に収容されている土壌７に好適に供給される一方で、各壁面緑化ユニット１のプランター２から溢流しようとする余剰水は、プランター２の外部に飛散することなく、それぞれのプランター２内に設けられた内部余剰水誘導管５ａ及び外部余剰水誘導管９ａを通過して下段側の壁面緑化ユニット１のプランター２の収容部４内に収容された土壌に供給され、このような内部余剰水誘導管５ａと外部余剰水誘導管９ａの通過を繰り返して、上段側から下段側に供給されることとなる。従って、本実施形態においても、プランター２からの余剰水が従来のように垂れ流し状態になるのを好適に防止することができ、それによって余剰水が地上部の歩行者にかかるようなことを防止することができるという効果がある。
【００８６】
また、上下段の壁面緑化ユニット１の内部余剰水誘導管５ａと外部余剰水誘導管９ａを順次通過して最下段の壁面緑化ユニット１まで余剰水が供給されるので、余剰水は、プランター２の収容部４内の土壌７にほとんど浸透することがない。従って、各段の壁面緑化ユニット１の高低差、或いは壁面自体の高低差が大きいような場合に、各段の壁面緑化ユニット１のプランター２内の土壌２３の湿潤状態に差異を生じさせないという効果がある。
【００８７】
（実施形態４）
本実施形態では、外部余剰水誘導管として、上記実施形態３とは別の形態の外部余剰水誘導管を用いている。図２３は本実施形態の外部余剰水誘導管を示す概略正面図、図２４は図２３の外部余剰水誘導管を用いて壁面緑化ユニットを２段に設置した状態を示す概略正面図、図２５は図２３の外部余剰水誘導管を用いて壁面緑化ユニットを複数段に設置した状態を示す概略正面図である。
【００８８】
本実施形態で用いる外部余剰水誘導管９ａは、図２３に示すように、上下に真っ直ぐ形成された２本のパイプ９ｂ、９ｃと、横向きに配置される１本の短いパイプ９ｄとが、２個の連結具４６、４６を介して連結された構成からなるものである。このように構成されている結果、本実施形態の外部余剰水誘導管９ａは、図２３に示すように、全体が屈曲して形成されたものとなっている。このように全体が屈曲して形成されている点で、上下に真っ直ぐ形成された１本のパイプのみで外部余剰水誘導管９ａが構成されていた上記実施形態１の場合と相違している。
【００８９】
本実施形態においては、図２４に示すように、外部余剰水誘導管９ａの上部開口部３４側がプランター２の底部の取付部３１に取り付けられ、この点では上記実施形態１と共通しているが、外部余剰水誘導管９ａの下部開口部３５は、下段側の壁面緑化ユニット１の土壌７が収容されたプランター２内に位置するように配置される。すなわち、外部余剰水誘導管９ａの下部開口部３５は、下段側の壁面緑化ユニット１のプランター２の内部余剰水誘導管５ａの上部開口部２８から離間して配置されることになる。
【００９０】
このため、本実施形態においては、上段側の壁面緑化ユニット１のプランター２の内部余剰水誘導管５ａを通過する余剰水を、該プランター２の底部の取付部３１を介して外部余剰水誘導管９ａを通過させることができるが、その外部余剰水誘導管９ａを通過する余剰水は、上記実施形態３のように、下段側の壁面緑化ユニット１のプランター２の内部余剰水誘導管５ａに供給されることはなく、その外部余剰水誘導管９ａの下部開口部３５から、プランター２内の土壌７が収容された部分に供給されることとなる。
【００９１】
従って、本実施形態では、上記実施形態３のように、上下段の壁面緑化ユニット１のプランター２の内部余剰水誘導管５ａ及び外部余剰水誘導管９ａを順次通過して最下段の壁面緑化ユニット１まで連続して余剰水が供給されることはなく、上段側の壁面緑化ユニットの１の内部余剰水誘導管５ａから下段側の壁面緑化ユニット１の外部余剰水誘導管９ａを通過した余剰水は、一旦、その下段側の壁面緑化ユニット１のプランター２の土壌７に供給され、その後に、該プランター２の底部の取付部３１を介して、さらに下段側の壁面緑化ユニット１の内部余剰水誘導管５ａに供給されることとなる。
【００９２】
このため、本実施形態では、上記実施形態３のように、各段の壁面緑化ユニット１の高低差、或いは壁面自体の高低差が大きいような場合に、各段の壁面緑化ユニット１のプランター２内の土壌２３の湿潤状態に差異を生じさせないという効果が生じるわけではない。
【００９３】
しかしながら、本実施形態では、上記のような屈曲部分を有する外部余剰水誘導管９ａによって、余剰水が各段のプランター２内の土壌７にすべて供給されることになる。従って、本実施形態では、各段のすべての壁面緑化ユニット１に灌水パイプを設置する必要がなく、余剰水を有効に利用することができるという、上記実施形態１の外部余剰水誘導管９ａの場合には生じないような別の効果が生じることなる。このため、壁面の上下の高低差が小さい場合には、各段の壁面緑化ユニットにおいて乾燥や過湿の程度の差異がさほど生じることがないので、本実施形態の外部余剰水誘導管９ａを有効に利用することができる。
【００９４】
壁面緑化ユニット１におけるプランター２の構成、プランター２の両側にフランジ２５、２５を設けた点、内部余剰水誘導管５ａの構成、外部余剰水誘導管９ａを取り付けるための取付部３１を内部余剰水誘導管５ａの下部開口部２９から裏面側に突出するように設けた点、フランジ２５をボルト４１によってアングル４０に固定する点、プランター２をフレーム４３に掛止させる点、外部余剰水誘導管９ａを取付部３１に取り付ける手段、フレーム４３の他に架台４４や枠体４５を配置する点等は、上記実施形態３と共通するため、その詳細な説明は省略する。また、複数列に複数段の壁面緑化ユニットを設置することで、縦横に多数の壁面緑化ユニットを配置することが可能である点も、上下実施形態３と同様である。
【００９５】
さらに、灌水される水が上下複数段に配置された壁面緑化ユニット１のプランター２内に収容されている土壌７に好適に供給される一方で、各壁面緑化ユニット１のプランター２から溢流しようとする余剰水が、プランター２の外部に飛散することなく、それぞれのプランター２内に設けられた内部余剰水誘導管５ａを通過し、外部余剰水誘導管９ａを介して下段側の壁面緑化ユニット１のプランター２内に収容された土壌７に供給され、このような内部余剰水誘導管５ａ、外部余剰水誘導管９ａの通過を繰り返して、上段側から下段側に供給される点も実施形態３と同様である。
【００９６】
従って、本実施形態においても、プランター２からの余剰水が垂れ流し状態になるのを好適に防止することができ、それによって余剰水が地上部の歩行者にかかるようなことを防止することができるという効果がある。
【符号の説明】
【００９７】
１  壁面緑化ユニット
２  プランター
３  被包材
４  収容部
５  内部余剰水誘導部
５ａ  内部余剰水誘導管
７  土壌
８  植物
９  外部余剰水誘導鎖
９ａ  外部余剰水誘導管
３０  余剰水排出孔
【図１】
0005632666.tif 000002
【図２】
0005632666.tif 000003
【図３】
0005632666.tif 000004
【図４】
0005632666.tif 000005
【図５】
0005632666.tif 000006
【図６】
0005632666.tif 000007
【図７】
0005632666.tif 000008
【図８】
0005632666.tif 000009
【図９】
0005632666.tif 000010
【図１０】
0005632666.tif 000011
【図１１】
0005632666.tif 000012
【図１２】
0005632666.tif 000013
【図１３】
0005632666.tif 000014
【図１４】
0005632666.tif 000015
【図１５】
0005632666.tif 000016
【図１６】
0005632666.tif 000017
【図１７】
0005632666.tif 000018
【図１８】
0005632666.tif 000019
【図１９】
0005632666.tif 000020
【図２０】
0005632666.tif 000021
【図２１】
0005632666.tif 000022
【図２２】
0005632666.tif 000023
【図２３】
0005632666.tif 000024
【図２４】
0005632666.tif 000025
【図２５】
0005632666.tif 000026
【図２６】
0005632666.tif 000027